(57)【特許請求の範囲】
【請求項１】
遊技盤の遊技領域に遊技球を発射する操作を行うための操作ハンドルと、
遊技領域の下側に設けられ、前記操作ハンドルが配設される下部パネルと、
を備えた遊技機において、
前記操作ハンドルは、
前記下部パネルに対して回動操作不可に配設された本体部と、
前記本体部に対して回動操作自在に配設された回動操作部と、
前記本体部と前記回動操作部との間に、該本体部及び該回動操作部とは独立して回動自在に設けられて、該回動操作部の回動操作位置の固定を防止する固定防止部材と、
を備え、
当該固定防止部材と、前記本体部との間に、第一隙間を形成し、
当該固定防止部材と、前記回動操作部との間に、第二隙間を形成し、
前記固定防止部材は、
前記第一隙間及び前記第二隙間のうち、少なくとも一方を被覆し、かつ、前記本体部の表面全体を覆うように、当該固定防止部材の端部から前記下部パネル表面よりも奥側の位置まで延設された形状であることを特徴とする遊技機。
【請求項２】
前記固定防止部材は、
異物が、前記第一隙間に挿入された場合に、当該固定防止部材が、前記本体部と共に固定され、
異物が、前記第二隙間に挿入された場合に、当該固定防止部材が、前記回動操作部と回動を共にし、
異物が、前記第一隙間と、前記第二隙間と、ともに挿入された場合に、当該固定防止部材が、前記本体部と共に固定され、
当該固定防止部材の固定に伴い、前記回動操作部が固定されることを特徴とする請求項１に記載の遊技機。
【発明の詳細な説明】
【技術分野】
【０００１】
本発明は、遊技機に関する。
【背景技術】
【０００２】
従来、遊技機は遊技盤に遊技球を発射する発射装置を操作する操作ハンドルを備えている。
操作ハンドルは、発射装置が遊技球を発射する勢いを回転角に基づいて制御可能な回動部材と、この回動部材がスラスト方向へ移動するのを回動部材のスラスト方向の両側から規制する１対の規制部材等を備えて構成されている（例えば、特許文献１参照）。
【０００３】
また、操作ハンドルは、回動部材を円滑に回動させるように当該回動部材と規制部材との間に僅かな隙間が設けられているが、遊技者が休憩や食事等により一時的に遊技機から離れる際に、回動部材と規制部材の隙間にコイン等の異物を無理に押し込んで操作ハンドルを固定するといった不正が問題となっている。
そこで、回動部材と規制部材の隙間を埋める隙間埋め部材を設け、この隙間埋め部材が上記隙間に異物が挿入されるのを阻止するように構成された遊技機が提案されている。
【特許文献１】特開２００５−２９６０３７号公報
【発明の開示】
【発明が解決しようとする課題】
【０００４】
しかしながら、上記特許文献１の遊技機では、回動部材と規制部材の間に隙間埋め部材を設けて各部材を密接させているため、各部材どうしの隙間にホコリ等が溜まると、回動部材が円滑に回動できなくなってしまうといった問題が生じる。なお、この対処方法としては、隙間埋め部材に摩擦係数の低い部材を適用する方法もあるが、コスト高となってしまうという欠点がある。
さらに、操作ハンドルは、遊技中に遊技者によって叩かれることもあるため、ガタツキや組み付け時の量産性等を考慮して円滑な回動を確保するとなると、従来のような回動部材と規制部材との間にある程度の隙間が必要であると考えられる。
【０００５】
そこで、本発明は、上記事情に鑑みてなされたものであって、操作ハンドルの回動操作の固定を適正に防止することができる遊技機を提供することを目的とする。
【課題を解決するための手段】
【０００６】
以上の課題を解決するため、
請求項１に記載の発明は、
遊技盤の遊技領域に遊技球を発射する操作を行うための操作ハンドルと、
遊技領域の下側に設けられ、前記操作ハンドルが配設される下部パネルと、
を備えた遊技機において、
前記操作ハンドルは、
前記下部パネルに対して回動操作不可に配設された本体部と、
前記本体部に対して回動操作自在に配設された回動操作部と、
前記本体部と前記回動操作部との間に、該本体部及び該回動操作部とは独立して回動自在に設けられて、該回動操作部の回動操作位置の固定を防止する固定防止部材と、
を備え、
当該固定防止部材と、前記本体部との間に、第一隙間を形成し、
当該固定防止部材と、前記回動操作部との間に、第二隙間を形成し、
前記固定防止部材は、
前記第一隙間及び前記第二隙間のうち、少なくとも一方を被覆し、かつ、前記本体部の表面全体を覆うように、当該固定防止部材の端部から前記下部パネル表面よりも奥側の位置まで延設された形状である
ことを特徴としている。
【０００７】
請求項１に記載の発明によれば、前記固定防止部材は、前記第一隙間及び前記第二隙間のうち、少なくとも一方を被覆し、かつ、前記本体部の表面全体を覆うように、当該固定防止部材の端部から前記下部パネル表面よりも奥側の位置まで延設された形状であるので、固定防止部材と本体部との隙間をほぼ完全に塞ぐことができ、不正を適正に防止することができる。
【０００８】
請求項２に記載の発明は、請求項１に記載の遊技機において、
前記固定防止部材は、
異物が、前記第一隙間に挿入された場合に、当該固定防止部材が、前記本体部と共に固定され、
異物が、前記第二隙間に挿入された場合に、当該固定防止部材が、前記回動操作部と回動を共にし、
異物が、前記第一隙間と、前記第二隙間と、ともに挿入された場合に、当該固定防止部材が、前記本体部と共に固定され、
当該固定防止部材の固定に伴い、前記回動操作部が固定されることを特徴としている。
【０００９】
請求項２に記載の発明によれば、前記二つの隙間に異物が挿入された場合には、前記回動操作部が固定されることができる。
【発明の効果】
【００１８】
本発明によれば、遊技機の操作ハンドルにおいて、本体部と回動操作部との間に、それらとは独立して回動自在に設けられて、回動操作部の操作位置の固定を防止する固定防止部材を設けて、該固定防止部材は、前記二つの部材との間の二つの隙間のうち、少なくとも一方を被覆し、かつ、前記本体部の表面全体を覆うように、当該固定防止部材の端部から前記下部パネル表面よりも奥側の位置まで延設された形状であるので、固定防止部材と本体部との隙間をほぼ完全に塞ぐことができる。これにより、操作ハンドルが固定されるという不正を適正に防止することができる。
【発明を実施するための最良の形態】
【００１９】
以下、この発明の実施形態について図面を参照して説明する。
ここでは、本発明にかかる遊技機の適例としてのパチンコ遊技機について図１〜図６を用いて説明を行う。
【００２０】
本実施形態の遊技機１００は、図１〜図５に示すように、矩形枠状に構成された機枠１１０を備え、機枠１１０の前面側に、該機枠１１０に対して前方向へ扉状に回動可能に矩形枠状の前面枠１２０が軸着されている。
なお、矩形枠状の機枠１１０は、裏面側から見て左側の一辺が金属製とされ、その他の辺は木製となっている。これによって、裏面側から見て左側の一辺においては、強度を保ったまま厚みを薄くでき、後述するように大型の表示ユニット１７０を備える裏機構枠（図示略）の配設を可能としている。
【００２１】
前面枠１２０は、当該前面枠１２０に備えられる各種部材等の取付用のベースとなる前面枠本体１３０と、前面枠本体１３０の前面側に回動可能に軸支されたクリア部材保持枠１４０と、クリア部材保持枠１４０の下側に取り付けられた発射操作ユニット１５０と、前面枠本体１３０の裏面側に回動可能に軸支され、表示ユニット１７０を備える裏機構枠（図示略）とを有する。
【００２２】
前面枠本体１３０は、矩形枠状の機枠１１０の前面側をちょうど覆うように概略矩形板状に構成されるとともに、その中央から上端部に渡る部分に後述する遊技盤（図示略）を嵌め込んで収容するための方形状の開口部１３１が形成されている。そして、前面枠本体１３０に収容された遊技盤の前面が前面枠本体１３０の開口部１３１から前側に臨むようになっている。即ち、遊技盤は、前面枠本体１３０に嵌め込まれることで前面枠１２０に取り付けられている。
【００２３】
また、前面枠本体１３０の開口部１３１、即ち、前面枠本体１３０の中央より少し下側から上端部にわたる部分には、図１に示すように、前面枠本体１３０の前側を覆うようにクリア部材保持枠１４０が配置されており、遊技盤の前面とクリア部材保持枠１４０に嵌め込まれたクリア部材としてのガラス板１４１との間で、遊技盤の前面に設けられた遊技領域区画壁（図示略）に囲まれた部分が、遊技球が発射されて流下する遊技領域（図示略）とされている。
【００２４】
クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤の前面側の遊技領域の前側を開放可能となっている。
また、クリア部材保持枠１４０には、前面枠本体１３０の開口部１３１をほぼ閉塞するように、該開口部１３１に嵌め込まれた遊技盤との間に遊技球が流下可能な遊技領域となる間隔を開けて二重のガラス板１４１が固定されている。そして、クリア部材保持枠１４０において、遊技機１００の前側からガラス板１４１を介して遊技盤の前面側の少なくとも遊技領域の部分が視認可能となっている。また、クリア部材保持枠１４０の前面であって、ガラス板１４１が固定されて遊技領域を視認可能とする部分の周囲には、枠装飾装置としてのランプやＬＥＤ、音声を出力するスピーカ５８、…などが設けられている。
【００２５】
また、前面枠本体１３０に軸着されたクリア部材保持枠１４０の開放端側となる前面側から見て右側の端部の前面には、施錠装置の一部をなす鍵穴１４３が形成されている。
鍵穴１４３は、前面枠本体１３０の施錠装置の一部を構成するとともに、クリア部材保持枠１４０の施錠装置の一部を構成しており、当該鍵穴１４３に鍵を入れて一方（例えば、左回り）に回すと前面枠本体１３０の施錠が解除され、他方（例えば、右回り）に回すとクリア部材保持枠１４０の施錠が解除されるようになっている。
【００２６】
発射操作ユニット１５０は、左右側部のうちの一側部となる左側部が前面枠本体１３０に軸着されて、左右方向に回動して開閉自在な開閉パネル１５１と、その下の下部パネル１５２とからなる。
開閉パネル１５１は、排出された遊技球を貯留するとともに、遊技球を発射する発射装置（図示略）に遊技球を送る上皿１５３を有している。この上皿１５３の周囲には、遊技者が操作可能な演出用ボタン（図示略）が設けられている。
下部パネル１５２には、上皿１５３に収容しきれない遊技球を収容する下皿１５４及び灰皿１５５と、遊技領域に向けての遊技球の発射操作を行うとともに、該遊技領域に遊技球を発射する際の発射勢を調節するための操作ハンドル１５６や、スピーカ５８などが設けられている。
【００２７】
また、図２に示すように、前面枠本体１３０の裏面側であって遊技盤が嵌め込まれる開口部１３１の下方には、排出ユニット１９０による賞球の排出、発射装置による遊技球の発射を制御する排出発射制御装置３４、遊技機１００内の各装置に電力を供給する電源回路としての電源供給装置３７が取り付けられている。
また、開口部１３１の上方には、遊技機１００が設置される図示しない島設備に設けられた供給装置から供給される遊技球を一時貯留し、排出装置１９０に供給する貯留タンク１９２が設けられている。
【００２８】
なお、図示は省略するが、前面枠本体１３０には、各部材の取付位置に各部材を取り付けるための構造が設けられており、例えば、取り付けられた部材を囲むように補強用のリブが形成されていたり、ビス等による部材の取り付けのためのボス等が形成されている。
【００２９】
以下に、操作ハンドルについて図３〜図５を参照してより詳細に説明する。
図３に示すように、操作ハンドル１５６は、下部パネル１５２の前面右側のハンドル取付部１５２ａに設けられている。また、操作ハンドル１５６は、図３〜図５に示すように、ハンドル取付部１５２ａに回動操作不可に取付固定される本体部１５６ａと、該本体部１５６ａの前端部に、本体部１５６ａに対して回動操作可能に取り付けられた回動操作部１５６ｃと、回動操作部１５６ｃの回動操作位置の固定を防止する固定防止部材１８０とを備える。
【００３０】
図４（ｂ）及び図５に示すように、本体部１５６ａは、略筒状に形成され、回動操作部１５６ｃ側（前面側）が回動操作部１５６ｃの周面部（後述）１５６ｅの径とほぼ等しくなるように拡径した形状となっている。
即ち、本体部１５６ａは、下部パネル１５２側（背面側）の略円筒状の小径部ａ１と、この小径部ａ１の前面側の端部に連続して形成され、全周に亘ってほぼ等しい曲率で拡径されたテーパ状の拡径部ａ２と、この拡径部ａ２の前面側の端部に連続して形成された略円筒状の大径部ａ３とを備えている。
なお、小径部ａ１の後端部分は、下部パネル１５２のハンドル取付部１５２ａの表面よりも背面側（奥側）に位置するように延出されている（図示略）。
【００３１】
回動操作部１５６ｃは、前面側に膨出された平面視略円形状の前面部１５６ｄと、前面部１５６ｄの周囲を囲むように形成された周面部１５６ｅとを備えている。
【００３２】
前面部１５６ｄの裏面の中心には、前面部１５６ｄに対して垂直に後方へ延出する回動軸１５６ｇが形成されている。
回動軸１５６ｇは、本体部１５６ａの前後方向に沿った軸受部１５６ｂにより回動可能に軸支されるようになっており、これによって、回動操作部１５６ｃが本体部１５６ａに対して回動可能に取り付けられるようになっている。また、回動軸１５６ｇの後端部は、本体部１５６ａよりも後方に延出し、この後端部には発射装置の発射勢調整部（図示略）と接続する接続部１５６ｈが形成されている。これにより、回動操作部１５６ｃを回動させることで発射装置（図示略）における遊技球の発射勢を変化できるようになっている。即ち、操作ハンドル１５６が、発射装置による発射勢を調整するために遊技者が操作可能な発射勢調整手段をなす。
【００３３】
周面部１５６ｅには、指を掛けるための突起部１５６ｆが形成されている。また、周面部１５６ｅの突起部１５６ｆよりも背面側となる後端部ｅ１は、当該周面部本体よりもわずかに小径とされている。
後端部ｅ１は、本体部１５６ａの大径部ａ３とほぼ等しい外径に形成されている。
【００３４】
固定防止部材１８０は、本体部１５６ａと回動操作部１５６ｃとの間に配設され、外形が略環状に形成されている。また、固定防止部材１８０は、回動軸１５６ｇの挿通孔１８１ａを具備し略円板状に形成された板状部１８１と、板状部１８０の外端に鍔状に形成され、本体部１５６ａとの隙間及び回動操作部１５６ｃとの隙間を被覆するカバー部１８２とを備えている。
【００３５】
板状部１８１の挿通孔１８１ａは、略円形に形成され、一方、カバー部１８２は、本体部１５６ａの大径部ａ３及び回動操作部１５６ｃの後端部ｅ１よりも外側に配置されている。従って、固定防止部材１８０は、本体部１５６ａ及び回動操作部１５６ｃと独立して回動自在に構成されている。
【００３６】
カバー部１８２は、固定防止部材１８０の本体部１５６ａ側の端部から背面側（本体部側）に延設された本体部側カバー部１８２ａと、回動操作部１５６ｃ側の端部から前面側（回動操作部側）に延設された操作部側カバー部１８２ｂを具備している。
本体部側カバー部１８２ａの後端部は、本体部１５６ａの大径部ａ３の前端部（固定防止部材側の端部）よりも背面側に突出されており、本体部側カバー部１８２ａによって、固定防止部材１８０と本体部１５６ａとの隙間が被覆されている。
操作部側カバー部１８２ｂの後端部は、回動操作部１５６ｃの後端部ｅ１（固定防止部材側の端部）よりも全面側に突出されており、操作部側カバー部１８２ｂによって、固定防止部材１８０と回動操作部１５６ｃとの隙間が被覆されている。
【００３７】
また、操作ハンドル１５６は、押圧操作により遊技球の発射を中断させる処理を行うストップスイッチ１５６ｊと、遊技者が操作ハンドル１５６に触れていることを検出するタッチセンサ（図示略）とを備えている。
【００３８】
以上のように、本実施形態の遊技機１００は、遊技盤の遊技領域に遊技球を発射する操作を行うための操作ハンドル１５６を備えた遊技機１００であって、操作ハンドル１５６は、遊技機本体の下部パネル１５２に対して回動操作不可に配設された本体部１５６ａと、本体部１５６ａに対して回動操作自在に配設された回動操作部１５６ｃと、回動操作部１５６ｃの回動操作位置の固定を防止する固定防止部材１８０と、を備え、固定防止部材１８０は、本体部１５６ａと回動操作部１５６ｃとの間に、本体部１５６ａ及び回動操作部１５６ｃと独立して回動自在に設けられている。
【００３９】
従って、本体部１５６ａと回動操作部１５６ｃとの間に、当該本体部１５６ａ及び回動操作部１５６ｃと独立して回動自在な固定防止部材１８０が設けられているので、異物が本体部１５６ａと固定防止部材１８０の間に挿入された場合には、固定防止部材１８０は本体部１５６ａと共に固定される一方で、回動操作部１５６ｃと固定防止部材１８０の間に挿入された場合には、固定防止部材１８０は回動操作部１５６ｃと動き（回動）を共にすることとなり、本体部１５６ａに対する回動操作部１５６ｃの回動操作位置が固定されることを防止することができる。これにより、操作ハンドル１５６が固定されるという不正を防止することができる。
【００４０】
また、固定防止部材１８０は、本体部１５６ａとの隙間及び回動操作部１５６ｃとの隙間を被覆するカバー部１８２を具備している。
【００４１】
従って、カバー部１８２によって、固定防止部材１８０と本体部１５６ａとの隙間及び固定防止部材１８０と回動操作部１５６ｃとの隙間を被覆するので、当該隙間に対する異物の挿入がし難くなって不正を防止することができる。
また、固定防止部材１８０と本体部１５６ａとの隙間及び固定防止部材１８０と回動操作部１５６ｃとの隙間のうち、何れか一方にのみ異物が挿入されたとしても操作ハンドル１５６の回動操作位置の固定はできないため、不正を適正に防止することができる。
【００４２】
また、カバー部１８２は、固定防止部材１８０の本体部１５６ａ側の端部から延設された本体部側カバー部１８２ａを有し、本体部側カバー部１８２ａは、本体部１５６ａの固定防止部材１８０側の端部よりも突出されている。
【００４３】
従って、本体部側カバー部１８２ａが本体部１５６ａの固定防止部材１８０側の端部よりも突出されているので、当該本体部側カバー部１８２ａによって、固定防止部材１８０と本体部１５６ａとの隙間を適正に塞ぐことができる。
【００４４】
また、カバー部１８２は、固定防止部材１８０の回動操作部１５６ｃ側の端部から延設された操作部側カバー部１８２ｂを有し、操作部側カバー部１８２ｂは、回動操作部１５６ｃの固定防止部材１８０側の端部よりも突出されている。
【００４５】
従って、操作部側カバー部１８２ｂが回動操作部１５６ｃの固定防止部材１８０側の端部よりも突出されているので、当該操作部側カバー部１８２ｂによって、固定防止部材１８０と回動操作部１５６ｃとの隙間を適正に塞ぐことができる。
【００４６】
なお、本発明は、上記実施形態に限定されることなく、本発明の趣旨を逸脱しない範囲において、種々の改良並びに設計の変更を行っても良い。
以下に、遊技機の変形例について説明する。
【００４７】
＜変形例１＞
以下に、変形例１の遊技機について図６を参照して説明する。
変形例１の遊技機は、図６に示すように、本体部１５６ａの表面全体を覆うように延設された本体部側カバー部２８２ａを具備するカバー部２８２を有する固定防止部材２８０を備えている。
即ち、本体部側カバー部２８２ａは、本体部１５６ａの大径部ａ３、拡径部ａ２及び小径部ａ１の表面に沿うように、大径部ａ３を被覆する大径部カバー部２８２ｂと、拡径部ａ２を被覆する拡径部カバー部２８２ｃと、小径部ａ１を被覆する小径部カバー部２８２ｄとを具備している。
また、小径カバー部２８２ｄは、下部パネル１５２のハンドル取付部１５２ａの表面よりも奥側に入り込むように延設され、ハンドル取付部１５２ａの略環状の挿通孔１５２ｂの本体部１５６ａ側の縁部と本体部１５６ａの表面との間に配設されている。
【００４８】
従って、変形例１の遊技機は、本体部側カバー部２８２ａは、本体部１５６ａの表面全体を覆うように延設されている。
【００４９】
これにより、本体部１５６ａを覆うように延設された本体部側カバー部２８２ａによって、固定防止部材２８０と本体部１５６ａとの隙間をほぼ完全に塞ぐことができ、不正を適正に防止することができる。
【００５０】
また、遊技領域の下側に設けられた下部パネル１５２を備え、下部パネル１５２は、操作ハンドル１５６が取り付けられるハンドル取付部１５２ａを備え、本体部側カバー部２８２ａの本体部１５６ａ側の端部である小径部カバー部２８２ｄは、ハンドル取付部１５２ａの本体部１５６ａ側の挿通孔１５２ｂの縁部と本体部１５６ａの表面との間に位置するように延設されている。
【００５１】
これにより、本体部側カバー部２８２ａの小径部カバー部２８２ｄは、下部パネル１５２のハンドル取付部１５２ａの挿通孔１５２ｂの縁部と本体部１５６ａの表面との間に位置するように延設されているので、本体部１５６ａと本体部側カバー部２８２ａとの隙間に異物の挿入がし難くなって不正を好適に防止することができる。
【００５２】
なお、上記実施形態にあっては、固定防止部材１８０（２８０）として、本体部１５６ａとの隙間及び回動操作部１５６ｃとの隙間の両方を被覆するカバー部１８２（２８２）を具備するものを例示したが、これに限られるものではなく、本体部１５６ａとの隙間及び回動操作部１５６ｃとの隙間のうち、少なくとも何れか一方を被覆するカバー部１８２を備えるものであれば如何なる構成であっても良い。
即ち、本体部１５６ａとの隙間を被覆する本体部側カバー部１８２ａ（２８２ａ）のみを備える固定防止部材であっても良いし、回動操作部１５６ｃとの隙間を被覆する操作部側カバー部１８２ｂのみを備える固定防止部材であっても良い。
【００５３】
なお、本発明の遊技機１００は、上述の実施形態に示されるようなパチンコ遊技機１００に限られるものではなく、例えば、その他のパチンコ遊技機、アレンジボール遊技機、雀球遊技機などの遊技球を使用する全ての遊技機１００に適用可能である。
【００５４】
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【００５５】
【図１】本発明を適用した一実施形態の遊技機を示す正面図である。
【図２】図１の遊技機の背面側から見て示した図である。
【図３】図１の遊技機に備わる下部パネルを示す斜視図である。
【図４】図３の下部パネルに備わる操作ハンドルを示す図である。
【図５】図４のV−V線における操作ハンドルの要部断面図である。
【図６】変形例１の遊技機に備わる操作ハンドルの要部断面図である。
【符号の説明】
【００５６】
１００    遊技機
１５６    操作ハンドル
１５６ａ  本体部
１５６ｃ  回動操作部
１８０、２８０  固定防止部材
１８２    カバー部
１８２ａ、２８２ａ  本体部側カバー部
１８２ｂ  操作部側カバー部
１５２    下部パネル
１５２ａ  ハンドル取付部
【図１】
0004897614.tif 000002
【図２】
0004897614.tif 000003
【図３】
0004897614.tif 000004
【図４】
0004897614.tif 000005
【図５】
0004897614.tif 000006
【図６】
0004897614.tif 000007